(57)【要約】【課題】噴射ガンを持ちやすくし、把持した手にかかる重量を軽減でき、片手での使用が可能になる。高圧水が噴射される時の反動力を緩和して、作業者の負担を軽くして洗浄、剥離、はつり、目荒らしなどの表面処理作業を行うことができる高圧水噴射ガンを提供する。【解決手段】高圧水噴射ガン本体１のグリップ６を銃身３より上方部に設ける。銃身３に対して５０〜９０度の角度αで傾斜している。【選択図】図１
0003128440.tif 000002
【実用新案登録請求の範囲】
【請求項１】
高圧水噴射ガン本体のグリップを銃身より上方部に設けると共に、銃身に対して５０〜９０度の角度で傾斜していることを特徴とする高圧水噴射ガン。
【請求項２】
グリップのより好ましい傾斜角度は７０〜７５度であることを特徴とする請求項１に記載の高圧水噴射ガン。
【請求項３】
グリップの上端部に、親指と人差指の股部で挟み当て片を支持できるようにしたことを特徴とする請求項１または２に記載の高圧水噴射ガン。
【請求項４】
グリップには、レバーを囲繞するセーフティガードが取り付けられていることを特徴とする請求項１，２，３のいずれか１項に記載の高圧水噴射ガン。
【考案の詳細な説明】
【技術分野】
【０００１】
本考案は、主として土木、建築構造物などの外装塗膜面やコンクリート面に高圧水を噴射して表面処理作業する時に用いる噴射ガンに関するもので、さらに詳しくは、把持しやすくて使い勝手が良く、高圧水が噴射される時に生じる反動力を軽減できる高圧水噴射ガンに関する。
【背景技術】
【０００２】
従来から、例えば、土木、建築構造物の外壁面の塗膜層が長い年月の経過により、汚れたり、膨らんだり、ヒビ割れ、錆などが生じて改修工事をする時、あるいは、コンクリート面に塗装を施す際に、塗料の付着をよくするために下地に微細な凹凸をつける目荒らし作業する時などには高圧水噴射ガンを用い、先端のノズルから高圧水を噴射して被処理面の洗浄、剥離、はつり、目荒らしなどの表面処理作業を行っている。
【０００３】
その時に用いる高圧水噴射ガンは、一般的には手持ち式タイプのものが使用されている。すなわち、銃身に見立てた比較的長い筒状の高圧水流路パイプの先端部に噴出ノズルを取り付けると共に、後方にグリップが設けられている。そのグリップは高圧水流路パイプに対して、直角あるいは傾斜して下方に突出するように設けられている（例えば、特許文献１〜２参照）。
【０００４】
そして、その使用時においては、利き手の方でグリップを持ち、反対の手で高圧水流路パイプまたは高圧水流路パイプに取り付けた把持杆を握って被処理面への目標位置にめがけて高圧水を噴射して洗浄、剥離、はつり、目荒らしを行っている。
【０００５】
【特許文献１】特開平８−８４９４３号公報
【特許文献２】特開平９−１９６５０号公報
【考案の開示】
【考案が解決しようとする課題】
【０００６】
しかしながら、前記特許文献１、２の高圧水噴射ガンは、銃身に見立てた高圧水流路パイプの下方にグリップが設けられているため、グリップを握った手に高圧水噴射ガンの重量がそのまま重く圧しかかり、しかも高圧水流路パイプは鋼鉄製で比較的長いから、どうしても高圧水流路パイプの先端が下がり気味になることから、使用時には利き手でない方の手を高圧水流路パイプに添えて使用しなければならず、片手だけでの作業は困難であった。
【０００７】
また、高圧水が噴射される時に、噴射ガンには大きな反動力がかかるが、作業者がグリップをしっかりと把持していても、その反動力で高圧水噴射ガンの先端ノズル部が上方に動くことから、噴射される高圧水が被処理面の狙った目標位置から大きく外れて対象物以外のところに当り、場合によっては、物や人を傷つけるという問題点があった。
【０００８】
本考案は、上記のような問題点を解決することを課題として開発されたもので、高圧水噴射ガンを持ちやすくし、把持した手にかかる重量を軽減でき、片手での使用が可能になると共に、高圧水が噴射される時の反動力を緩和して作業者の負担を軽くして洗浄、剥離、はつり、目荒らしなどの表面処理作業を行うことができる高圧水噴射ガンを提供することを目的とするものである。
【課題を解決するための手段】
【０００９】
上記の課題を解決し、その目的を達成する手段として、本考案は高圧水噴射ガン本体のグリップを銃身より上方部に設けると共に、銃身に対して５０〜９０度の角度で傾斜していることを特徴とする高圧水噴射ガンを開発し、採用した。
【００１０】
また、上記のように構成した高圧水噴射ガンにおいて、グリップのより好ましい傾斜角度は７０〜７５度であることを特徴とする高圧水噴射ガン、およびグリップの上端部に、親指と人差指の股部で挟み当て片を支持できるようにしたことを特徴とする高圧水噴射ガン、およびグリップには、レバーを囲繞するセーフティガードが取り付けられていることを特徴とする高圧水噴射ガンを開発し、採用した。
【考案の効果】
【００１１】
本考案の高圧水噴射ガンは、グリップが銃身の上方部にあり、かつ銃身に対して５０〜９０度の角度、より好ましくは、７０〜７５度の角度で傾斜してあるから、グリップを把持しやすくなり、把持した時に手に馴染んで力を入れやすくなると共に、握持した手にかかる重量が軽減されることから、片手での作業が可能になる。また、グリップを把持した時に、丁度、水平状態を保持できる重量バランスになっていることから、作業がやりやすくなる。さらに、高圧水が噴射される時に生じる反動力は、後方への反動力になるから、グリップを把持すれば吸収緩和でき、作業者に反動力が強く加わらず、被処理面に正確に噴射することができる。
【００１２】
また、グリップの上端部には、親指と人差指の股部で挟み、当て片を支持できるようにしてあるから、高圧水噴射ガンの重さを充分支え、しっかりと強固に保持できる。さらに、レバーもグリップと同様の角度で傾斜しているから、引きやすくなり、高圧水の噴射、停止が容易、確実になる。
【００１３】
また、レバーはセーフティガードによって囲繞されていることから、誤ってレバーを引くことがないので高圧水が噴出することなく安全である。
【考案を実施するための最良の形態】
【００１４】
以下に、本考案の実施形態を添付図面に基づいて説明すれば、図１は本考案の高圧水噴射ガンの側面図、図２はその背面図、図３はグリップの握りを示す側面図、図４は使用状態を示す説明図である。図１に示すように、本考案の高圧水噴射ガン本体１は、高圧水が供給される下部供給管２と、ガン本体１の銃身３の前方に突出する上部流路管４と、先端ノズル５と、グリップ６と、レバー７と、セーフティガード８とを主に備えている。
【００１５】
この高圧水噴射ガン本体１は、下部供給管２に、図示しないホースの一端が接続されホースの他端がジェットポンプに接続されており、高圧水が供給されるようになっている。供給された高圧水はガイド管９を経て銃身３の先に連結した細長い上部流路管４に流入し、先端ノズル５から噴射するようになっている。
【００１６】
高圧水噴射ガン本体１の後方部に設けたグリップ６は、噴射ガン本体１の銃身３より上方部に設けてあると共に、その銃身３に対して５０〜９０度の角度αで傾斜させてあるが、好ましくは７０〜７５度の範囲の角度αがよい。角度αが５０度以下になると、グリップ６を把持した時に、上部流路管４の先端部が下がり気味になり、それを水平に保持するのに力をいれなければならないことから適さず、また角度αを９０度以上にすると、逆に上部流路管４の先端部が上がり気味になり、把時する手に大きな重力がかかることから適さず、前記の５０〜９０度が適しており、より好ましくは７０〜７５度の角度αが最適である。
【００１７】
１０はグリップ６の上端部に設けた親指と人差指の間の股部に嵌る幅の当て片であり、その当て片１０の下面１０ａが股部で支持され高圧水噴射ガン本体１をしっかりと把持できるようになっている。
【００１８】
レバー７はグリップ６と略同じ傾斜角度で傾斜してあり、レバー７を引くことにより高圧水が噴射し、レバー７を戻すことにより高圧水が停止する構造になっている。そのレバー７が誤って触れたりして高圧水が噴射しないようにするため、レバー７の前方を囲繞するセーフティガード８を設けてある。
【００１９】
このように構成した本考案の実施形態の使用例を作用、効果と共に説明すると、作業者は表面処理の施される被処理面に向けて高圧水を噴射するのであるが、グリップ６が銃身３の上方部にあり、かつその傾斜が５０〜９０度の角度で、より好ましくは、７０〜７５度の角度であるから、グリップ６を握ると、丁度、水平状態を保持できる重量バランスであり、水平部の被処理面の表面処理作業が楽にできると共に、図４に示すように、下方部の被処理面の表面処理作業および上方部の被処理面の表面処理作業に際しても、グリップ６を把持する手に大きな重量がかからずスムーズに表面処理作業ができる。また、高圧水噴射時に発生する反動力が生じても、その反動力は後方への反動力であるから、グリップを把持すれば吸収緩和でき、作業者に大きな負担にはならず作業が容易にできる。
【００２０】
また、レバー７もグリップ６と同じ傾斜角度で銃身３の上方部にあることから、レバー操作がスムーズに行うことができ、高圧水の噴射が確実に噴射される。また、レバー７は誤って触れたりしてレバー７が引き込めないように、レバー７の前方をセーフティガード８で囲繞してあることから、誤噴射することがなく安全である。
【００２１】
以上、本考案の主要な実施例について説明したが、本考案はこれらの実施例に限定されるものではなく、考案の目的を達成でき、かつ考案の要旨を逸脱しない範囲内で種々設計変更が可能であり、それらも全て本考案の範囲内に包含されるものである。
【産業上の利用可能性】
【００２２】
本考案は、土木、建築構造物や土木建設機械器具、自動車、電車、船などの塗膜面あるいはコンクリート面の洗浄、剥離、はつり、目荒らしなどを高圧水に限らず、温水、洗剤混合液、蒸気、ブラスト材、その他の高圧流体を噴射するガンに有効的に利用できるものである。
【図面の簡単な説明】
【００２３】
【図１】本考案の高圧水噴射ガンの側面図である。
【図２】本考案の高圧水噴射ガンの背面図である。
【図３】本考案の高圧水噴射ガンのグリップの握りを示す側面図である。
【図４】本考案の高圧水噴射ガンの使用状態を示す説明図である。
【符号の説明】
【００２４】
１    高圧水噴射ガン本体  
３    銃身
６    グリップ
７    レバー
８    セーフティガード
１０  当て片
【図１】
0003128440.tif 000003
【図２】
0003128440.tif 000004
【図３】
0003128440.tif 000005
【図４】
0003128440.tif 000006